(57)【要約】【課題】  燃料電池用ケースの内圧が所望の圧力になったときに蓋部材が開くようにする。【解決手段】  この燃料電池用ケースでは、ケース本体２２と圧抜きフタ３４との間に第１両面接着テープ３６ａと挟着部材３８と第２両面接着テープ３６ｂとからなる積層構造が存在しているため、所定の圧力が圧抜きフタ３４に及ぼす力だけではケース本体２２と第１両面接着テープ３６ａとの接着面や圧抜きフタ３４と第２両面接着テープ３６ｂとの接着面が剥離しないとしても、ケース本体２２や圧抜きフタ３４の材質を変更することなく挟着部材３８の材質や挟着部材３８の第１両面接着テープ３６ａ又は第２両面接着テープ３６ｂとの接着面積を適宜選択することにより、所定の圧力が圧抜きフタ３４に及ぼす力によってケース本体２２と圧抜きフタ３４とが離間するように容易に設計することができる。【選択図】        図２
2006236863.tif 000002
【特許請求の範囲】
【請求項１】
燃料電池を収納する燃料電池用ケースであって、
ケース本体と、
前記ケース本体に形成され、前記燃料電池用ケース内の圧力を解放する圧抜き孔と、
前記圧抜き孔を覆う蓋部材と、
両面に接着機能を有し、片面が前記圧抜き孔の周囲に沿って前記ケース本体に接着されている第１両面接着部材と、
両面に接着機能を有し、片面が前記第１両面接着部材に対向して前記蓋部材に接着されている第２両面接着部材と、
前記第１両面接着部材と第２両面接着部材とに挟まれ、前記燃料電池用ケース内の圧力が所定の圧力となったときに前記ケース本体と前記第１両面接着部材との接着面及び前記蓋部材と前記第２両面接着部材との接着面が剥がれる前に前記第１両面接着部材又は第２両面接着部材との接着面で剥離される挟着部材と、
を備えた燃料電池用ケース。
【請求項２】
請求項１に記載の燃料電池用ケースであって、
前記ケース本体に形成され、通気を行う通気孔と、
前記通気孔を被覆して気体のみを透過させる気体透過膜と、
両面に接着機能を有し、一方の面が前記通気孔の周囲に沿って前記ケース本体に接着され、他方の面が前記燃料電池用ケース内の圧力が前記所定の圧力と略同じになったときに剥れるよう前記気体透過膜に接着されている第３両面接着部材と、
を備えた燃料電池用ケース。
【請求項３】
燃料電池を収納する燃料電池用ケースであって、
ケース本体と、
前記ケース本体に形成され、前記燃料電池用ケース内の圧力を解放する圧抜き孔と、
前記圧抜き孔を覆う蓋部材と、
両面に接着機能を有し、片面が前記圧抜き孔の周囲に沿って前記ケース本体に接着されている第１両面接着部材と、
両面に接着機能を有し、片面が前記第１両面接着部材に対向して前記蓋部材に接着されている第２両面接着部材と、
前記第１両面接着部材と第２両面接着部材とに挟まれ、前記第１両面接着部材の前記ケース本体への接着力及び前記第２両面接着部材の前記蓋部材への接着力よりも弱い接着力で前記第１両面接着部材又は第２両面接着部材と接着されている挟着部材と、
を備えた燃料電池用ケース。
【請求項４】
請求項３に記載の燃料電池用ケースであって、
前記ケース本体に形成され、通気を行う通気孔と、
前記通気孔を被覆して気体のみを透過させる気体透過膜と、
両面に接着機能を有し、一方の面が前記通気孔の周囲に沿って前記ケース本体に接着され、他方の面が前記挟着部材と前記第１両面接着部材又は第２両面接着部材との接着力と略同じ接着力で前記気体透過膜に接着されている第３両面接着部材と、
を備えた燃料電池用ケース。
【請求項５】
前記挟着部材は、前記気体透過膜と略同一の材質である、
請求項２又は４に記載の燃料電池用ケース。
【請求項６】
前記第１両面接着部材又は前記第２両面接着部材は、基材の両面に粘着剤が付けられた両面接着テープである、
請求項１又は３に記載の燃料電池用ケース。
【請求項７】
前記第１両面接着部材、前記第２両面接着部材又は前記第３両面接着部材は、基材の両面に粘着剤が付けられた両面接着テープである、
請求項２，４又は５に記載の燃料電池用ケース。
【発明の詳細な説明】
【技術分野】
【０００１】
本発明は、燃料電池用ケースに関し、詳しくは、燃料電池を収納する燃料電池用ケースに関する。
【背景技術】
【０００２】
従来、車載用の燃料電池用ケースとしては、ケース本体に圧力解放孔を設け、圧力解放孔を蓋部材で覆ったものが提案されている（例えば、特許文献１参照）。この燃料電池用ケースでは、ケース内圧が所望の圧力になったときに該圧力が蓋部材に及ぼす力によって蓋部材が開くよう蓋部材がケース本体に両面接着テープで接着されているため、ケース内の圧力を解放させることができ、これにより、燃料電池用ケースの破損を防止することができる。
【特許文献１】特開２００２−３６７６４７
【発明の開示】
【発明が解決しようとする課題】
【０００３】
しかしながら、通常、蓋部材及びケース本体は樹脂などで作られているため、上述の燃料電池用ケースでは、蓋部材とケース本体とが両面接着テープの一方の面で蓋部材と接触し他方の面でケース本体と接触した状態で強固に接着されることとなる。したがって、ケース内圧が所望の圧力になったときに蓋部材をケース本体から離間させるには、ケース本体や蓋部材の材質を変更するなどケース本体や蓋部材の設計自体を変更せざるを得ず、容易ではなかった。
【０００４】
本発明は、このような問題を解決するためになされたものであり、燃料電池用ケースの内圧が所望の圧力になったときに蓋部材が開くよう容易に設計することができる燃料電池用ケースを提供することを目的とする。
【課題を解決するための手段】
【０００５】
本発明は、上述の目的の少なくとも一部を達成するために以下の手段を採った。
【０００６】
即ち、本発明の燃料電池用ケースは、
燃料電池を収納する燃料電池用ケースであって、
ケース本体と、
前記ケース本体に形成され、前記燃料電池用ケース内の圧力を解放する圧抜き孔と、
前記圧抜き孔を覆う蓋部材と、
両面に接着機能を有し、片面が前記圧抜き孔の周囲に沿って前記ケース本体に接着されている第１両面接着部材と、
両面に接着機能を有し、片面が前記第１両面接着部材に対向して前記蓋部材に接着されている第２両面接着部材と、
前記第１両面接着部材と第２両面接着部材とに挟まれ、前記燃料電池用ケース内の圧力が所定の圧力となったときに前記ケース本体と前記第１両面接着部材との接着面及び前記蓋部材と前記第２両面接着部材との接着面が剥がれる前に前記第１両面接着部材又は第２両面接着部材との接着面で剥離される挟着部材と、
を備えたものである。
【０００７】
この燃料電池用ケースでは、ケース本体と蓋部材との間に、第１両面接着部材、挟着部材、第２両面接着部材からなる積層構造が存在している。そして、燃料電池用ケースの内圧が所定の圧力になったとき、該圧力が蓋部材に及ぼす力によって、積層構造のうち第１又は第２両面接着部材と挟着部材との接着面が剥離し、蓋部材が開いて圧抜き孔からケース内の圧力が抜ける。すなわち、所定の圧力が蓋部材に及ぼす力だけではケース本体と第１両面接着部材との接着面や蓋部材と第２両面接着部材との接着面が剥離しないとしても、ケース本体や蓋部材の材質を変更することなく挟着部材の材質や挟着部材と第１両面接着部材又は第２両面接着部材との接着面積を適宜選択することにより、所定の圧力が蓋部材に及ぼす力によってケース本体と蓋部材とが離間するように設計することができる。したがって、燃料電池用ケースの内圧が所望の圧力になったときに蓋部材が開くように容易に設計することができる。なお、所定の圧力とは、例えば、燃料電池から漏出した水素の着火により燃料電池用ケース内の圧力が異常圧力になったと判断される圧力値として経験的に定めればよい（以下同じ）。また、第１両面接着部材は、圧抜き孔の周囲に沿って連続的に形成されていることが好ましいが、断続的に形成されていてもよい。
【０００８】
本発明の燃料電池用ケースは、更に、前記ケース本体に形成され、通気を行う通気孔と、前記通気孔を被覆して気体のみを透過させる気体透過膜と、両面に接着機能を有し、一方の面が前記通気孔の周囲に沿って前記ケース本体に接着され、他方の面が前記燃料電池用ケース内の圧力が前記所定の圧力と略同じになったときに剥れるよう前記気体透過膜に接着されている第３両面接着部材と、を備えるとしてもよい。こうすれば、ケース本体に圧抜き孔と通気孔とを有する場合には、ケース本体や蓋部材の材質を変更することなく挟着部材の材質や挟着部材と第１両面接着部材又は第２両面接着部材との接着面積を適宜選択することにより、ケース内の圧力が所定の圧力となったときに蓋部材と気体透過膜とを略同時にケース本体から離間させるよう容易に設計することができる。
【０００９】
本発明の燃料電池用ケースは、
燃料電池を収納する燃料電池用ケースであって、
ケース本体と、
前記ケース本体に形成され、前記燃料電池用ケース内の圧力を解放する圧抜き孔と、
前記圧抜き孔を覆う蓋部材と、
両面に接着機能を有し、片面が前記圧抜きの周囲に沿って前記ケース本体に接着されている第１両面接着部材と、
両面に接着機能を有し、片面が前記第１両面接着部材に対向して前記蓋部材に接着されている第２両面接着部材と、
前記第１両面接着部材と第２両面接着部材とに挟まれ、前記第１両面接着部材の前記ケース本体への接着力及び前記第２両面接着部材の前記蓋部材への接着力よりも弱い接着力で前記第１両面接着部材又は第２両面接着部材と接着されている挟着部材と、
を備えたものとしてもよい。
【００１０】
この燃料電池用ケースでは、ケース本体と蓋部材との間に、第１両面接着部材、挟着部材、第２両面接着部材からなる積層構造が存在している。そして、第１又は第２両面接着部材の挟着部材への接着力は、第１両面接着部材のケース本体への接着力及び第２両面接着部材の蓋部材への接着力よりも弱くなっている。すなわち、第１両面接着部材とケース本体との接着力及び第２両面接着部材と蓋部材との接着力が強い場合であっても、ケース本体や蓋部材の材質を変更することなく挟着部材の材質や挟着部材と第１両面接着部材又は第２両面接着部材との接着面積を適宜選択することにより、第１又は第２両面接着部材と挟着部材との接着力を弱めることができる。したがって、燃料電池用ケースの内圧が所望の圧力になったときに蓋部材が開くように容易に設計することができる。
【００１１】
本発明の燃料電池用ケースは、更に、前記ケース本体に形成され、通気を行う通気孔と、前記通気孔を被覆して気体のみを透過させる気体透過膜と、両面に接着機能を有し、一方の面が前記通気孔の周囲に沿って前記ケース本体に接着され、他方の面が前記挟着部材と前記第１両面接着部材又は第２両面接着部材との接着力と略同じ接着力で前記気体透過膜に接着されている第３両面接着部材と、を備えるとしてもよい。こうすれば、ケース本体に圧抜き孔と通気孔とを有する場合には、ケース本体や蓋部材の材質を変更することなく挟着部材の材質や挟着部材と第１両面接着部材又は第２両面接着部材との接着面積を適宜選択することにより、挟着部材と第１又は第２両面接着部材との接着力が気体透過膜と第３両面接着部材との接着力と略同じになるよう容易に設計することができる。
【００１２】
本発明の燃料電池用ケースにおいて、通気孔を被覆して気体のみを透過させる気体透過膜を有している場合には、前記挟着部材は、前記気体透過膜と略同一の材質であるとしてもよい。こうすれば、ケース本体と蓋部材との接着強度（単位面積当たりの接着力）がケース本体と気体透過膜との接着強度と略同一になるため、ケース内圧が所望の圧力になったときに蓋部材と気体透過膜とが略同時に剥がれるように設計するのが一段と容易になる。
【００１３】
本発明の燃料電池用ケースにおいて、前記第１両面接着部材、前記第２両面接着部材又は前記第３両面接着部材は、基材の両面に粘着剤が付けられた両面接着テープであるとしてもよい。
【発明を実施するための最良の形態】
【００１４】
次に、本発明の実施の形態を図面に基づいて説明する。図１は、本発明の一実施形態である燃料電池用ケース２０の構成の概略を示す構成図である。また、図２は、図１の燃料電池ケース２０のＡ−Ａ断面を示す拡大断面図であり、図３は、Ｂ−Ｂ断面を示す拡大断面図である。本実施形態の燃料電池用ケース２０は、図１に示すように、燃料電池用ケース２０の本体であり燃料電池５０を保護するケース本体２２と、ケース本体２２に形成されケース内の圧力を解放させる圧力解放部３０と、ケース本体２２に形成され気体のみを透過させる気体透過部４０とを備える。
【００１５】
ケース本体２２は、上部に鍔を有しケース本体２２の下半部を形成する樹脂製のロアケース２２ａと、ロアケース２２ａと同一の形状であってケース本体２２の上半部を形成する樹脂製のアッパーカバー２２ｂとから構成されている。ロアケース２２ａの鍔とアッパーカバー２２ｂの鍔とは、それぞれの開口部を向かい合わせた状態で当接しており、鍔の部分に設けられた図示しない孔にボルト２４を貫通させナット２６で締め込むことにより、ロアケース２２ａにアッパーカバー２２ｂを固定させ、ロアケース２２ａの上部の開口部をアッパーカバー２２ｂで密閉している。なお、ロアケース２２ａとアッパーカバー２２ｂとは同一の形状でなくてもよい。
【００１６】
圧力解放部３０は、図２に示すように、ロアケース２２ａ及びアッパーカバー２２ｂに形成されケース内の圧力を解放させるための圧抜き孔３２と、圧抜き孔３２を覆う樹脂製の圧抜きフタ３４と、片面が圧抜き孔３２の周囲に沿ってケース本体２２に接着されている第１両面接着テープ３６ａと、第１両面接着テープ３６ａに対向するように圧抜きフタ３４に接着されている第２両面接着テープ３６ｂと、第１両面接着テープ３６ａと第２両面接着テープ３６ｂとの間に挟まれた状態で接着されている挟着部材３８とから構成されており、本実施形態では、ケース本体２２の２つの側面に計４箇所設けられている。ここで、挟着部材３８は、本実施形態では、後述する気体透過膜４４と同じ材料で作られた膜を用いるものとする。また、第１両面接着テープ３６ａ及び第２両面接着テープ３６ｂは、テープ状の樹脂基材の両面に粘着材が塗布された周知のものであり、被接着物との接着面積は略同一である。この圧力解放部３０は、通常の状態では、圧抜きフタ３４が第１両面接着テープ３６ａ、挟着部材３８及び第２両面接着テープ３６ｂからなる積層構造を介してケース本体２２に密着されており、圧抜き孔３２からの雨水の浸入や感電などを防止している。一方、ケース内に所定の圧力がかかった場合には、圧抜きフタ３４をケース本体２２から離間させて圧抜き孔３２から圧力を解放させる。このとき、ケース本体２２や圧抜きフタ３４は樹脂製であるのに対し、挟着部材３８は気体透過膜４４と同じ材料で作られた膜であるため、第１両面接着テープ３６ａ又は第２両面接着テープ３６ｂと挟着部材３８との接着力は、第１両面接着テープ３６ａとケース本体２２との接着力及び第２両面接着テープ３６ｂと圧抜きフタ３４との接着力よりも弱くなっている。したがって、ケース内に所定の圧力がかかった場合には、所定の圧力が圧抜きフタ３４に及ぼす力だけではケース本体２２と第１両面接着テープ３６ａとの接着面や圧抜きフタ３４と第２両面接着テープ３６ｂとの接着面が剥離しないとしても、第１両面接着テープ３６ａ又は第２両面接着テープ３６ｂと挟着部材３８との接着面で圧抜きフタ３４をケース本体２２から離間させることができる。ここで、所定の圧力は、ケース本体２２の破壊圧力以下の圧力となるようケースを構成する材質などに基づいて実験的に定めた値であり、例えば、大気圧の数倍の圧力としてもよい。なお、圧抜き孔３２の開口面積は、ケース内圧が所定の圧力となったときに圧抜きフタ３４に作用する力が第１両面接着テープ３６ａ又は第２両面接着テープ３６ｂと挟着部材３８との接着力に打ち勝つよう実験的に定めた値として設定されている。
【００１７】
気体透過部４０は、図３に示すように、ケース本体２２に形成された通気孔４２と、挟着部材３８と同一の材料で通気孔４２を被覆する気体透過膜４４と、一方の面が通気孔４２の周囲に沿ってケース本体２２に接着され他方の面が気体透過膜４４に接着され第１両面接着テープ３６ａ及び第２両面接着テープ３６ｂと同じ材料且つ略同じ接着面積である第３両面接着テープ４６とから構成されており、本実施形態では、ケース本体２２の上面１箇所に設けられている。ここで、気体透過膜４４は、水は透過しないが水素や空気などの気体は透過する多孔質材料で作られた膜を用いるものとし、具体的には、住友電工社製の商品名「ポアフロン」などを用いてもよい。そして、この気体透過部４０は、通常の状態では、気体透過膜４４が第３両面接着テープ４６によってケース本体２２と密着されており、通気孔４２からの雨水の浸入などを防止している。また、燃料電池５０からわずかではあるが水素が漏出する事態が発生した場合に、気体透過膜４４を介して水素を外気に放出させることにより、ケース内での水素の着火を防止している。一方、ケース内圧が所定の圧力となった場合には、気体透過膜４４をケース本体２２から離間させて通気孔４２から圧力を解放させる。このとき、ケース本体２２は樹脂製であるのに対し気体透過膜４４は多孔質材料で作られた膜であるため、第３両面接着テープ４６とケース本体２２との接着力の方が第３両面接着テープ４６と気体透過膜４４との接着力よりも強くなる。したがって、ケース内に所定の圧力がかかった場合に、所定の圧力が気体透過膜４４に及ぼす力だけではケース本体２２と第３両面接着テープ４６との接着面が剥離しないとしても、第３両面接着テープ４６と気体透過膜４４との接着面で気体透過膜４４をケース本体から離間させることができる。このように、気体透過部４０は、ケース内の水素を排出させる役割だけでなく、ケース内に所定の圧力がかかった場合に該圧力を解放させる役割も果たしている。なお、通気孔４２の開口面積は、ケース内圧が所定の圧力となったときに気体透過膜４４に作用する力が第３両面接着テープ４６と気体透過膜４４との接着力に打ち勝つよう実験的に定めた値として設定されており、本実施形態では、圧抜き孔３２の開口面積と略同じ開口面積とする。また、第３両面接着テープ４６と気体透過膜４４との接着面積は、第１両面接着部材３６ａと挟着部材３８との接着面積や第２両面接着部材３６ｂと挟着部材３８との接着面積と略同じであり、第３両面接着テープ４６の接着強度は、気体透過膜４４と挟着部材３８とが同じ材質のため第１両面接着テープ３６ａの接着強度や第２両面接着テープ３６ｂの接着強度と略同じ接着強度を持つことになるから、第３両面接着テープ４６と気体透過膜４４との接着力（＝接着面積×接着強度）は、第１両面接着テープ３６ａと挟着部材３８との接着力や第２両面接着テープ３６ｂと挟着部材３８との接着力と略同じになる。
【００１８】
こうして構成された本実施形態の燃料電池用ケース２０に収納された燃料電池５０からわずかではあるが水素が漏出して何らかの原因によりこの水素に着火した場合を考える。水素は、酸素の存在下で着火すると大きな燃焼速度で燃焼する。この燃焼時にはケース内の圧力が急上昇し、この圧力が圧抜きフタ３４と気体透過膜４４とをケース本体２２から離間させる方向に作用する。
【００１９】
そして、ケース内の圧力が所定の圧力に達すると、圧力解放部３０では、第１両面接着テープ３６ａ又は第２両面接着テープ３６ｂと挟着部材３８との接着面が剥離して圧抜きフタ３４が開き、これと略同時に、気体透過部４０では第３両面接着テープ４６と気体透過膜４４との接着面が剥離して気体透過膜４４が剥がれる。このように両者が略同時に剥がれるのは、圧抜き孔３２の開口面積と通気孔４２の開口面積とが略同じであるため所定の圧力が圧抜きフタ３４に及ぼす力と気体透過膜４４に及ぼす力とは略同じであり、また、第３両面接着テープ４６と気体透過膜４４との接着力は第１両面接着テープ３６ａと挟着部材３８との接着力や第２両面接着テープ３６ｂと挟着部材３８との接着力と略同じであるからである。この結果、圧抜き孔３２ばかりでなく通気孔４２からもケース内の圧力が解放されるため、ケース内の圧力は急速に低下する。
【００２０】
なお、気体透過膜４４は、微細な孔を多数有する多孔質材料で作られているため、この孔から圧力が解放され気体透過膜４４と圧抜きフタ３４とに作用する圧力に違いが生ずることも考えられるが、気体透過膜４４の多孔から抜ける圧力は該孔からじわじわと抜けるためごく僅かであるのに対し、ケース内の圧力は水素の着火に伴い急激に上昇するため、ケース内の圧力が気体透過膜４４に作用する力と圧抜きフタ３４に作用する力との差は誤差の範囲内であり、これらは実質同じになる。
【００２１】
以上詳述した本実施形態の燃料電池用ケースによれば、所定の圧力が圧抜きフタ３４に及ぼす力だけではケース本体２２と第１両面接着テープ３６ａとの接着面や圧抜きフタ３４と第２両面接着テープ３６ｂとの接着面が剥離しないとしても、ケース本体２２や圧抜きフタ３４の材質を変更することなく挟着部材３８の材質を適宜選択することにより、所定の圧力が圧抜きフタ３４に及ぼす力によってケース本体２２と圧抜きフタ３４とが離間するように容易に設計することができる。
【００２２】
また、挟着部材３８として気体透過膜４４と同じ材料を用いることにより、圧抜きフタ３４と気体透過膜４４とを略同時にケース本体２２から離間させるよう容易に設計することができる。この結果、圧抜き孔３２と通気孔４２とから圧力を十分に解放させるため、ケース本体２２の破損を防止することができる。
【００２３】
なお、本発明は上述した実施形態に何ら限定されることはなく、本発明の技術的範囲に属する限り種々の態様で実施し得ることはいうまでもない。
【００２４】
例えば、上述した実施形態での燃料電池用ケースでは気体のみを透過させる機能と圧力を解放させる機能とを併せ持つ気体透過部４０を設けたが、気体透過部４０の代わりに、そのものが本来持つ機能と圧力を解放させる機能とを併せ持つ他のカバー状のものを設けてもよい。
【００２５】
また、上述した実施形態では、図３の構成をした気体透過部４０を採用したが、図４〜図６の構成をした気体透過部１４０，２４０，３４０を採用してもよい。すなわち、図４の気体透過部１４０では、一方の面が通気孔４２の周囲に沿ってケース本体２２に接着された第３両面接着部材１４６ａと、第３両面接着部材１４６ａに対向するように気体透過膜４４に接着された第３両面接着テープ１４６ｂと、第３両面接着テープ１４６ａと第３両面接着テープ１４６ｂとの間に挟まれた状態で接着された挟着部材としての気体透過膜１４４とから構成されている。そして、ケース内の圧力が所定の圧力になると、気体透過膜４４と第３両面接着テープ１４６ｂとの接着面が剥離して気体透過膜４４がケース本体２２から離間する。また、図５の気体透過部２４０では、気体透過膜４４は、気体透過膜４４の周縁よりも内側で通気孔４２の周囲に対向するように第３両面接着テープ２４６ｂの一方の面ｆ１と接着され、気体透過膜４４のうち第３両面接着テープ２４６ｂに接着されていない端部分でこの第３両面接着テープ２４６ｂを包むように該端部分を折り返して該第３両面接着テープ２４６ｂの他方の面ｆ２と接着されている。また、第３両面接着テープ２４６ａは、一方の面が通気孔４２の周囲に沿ってケース本体２２に接着され、他方の面が気体透過膜４４の折り返された部分に接着されている。そして、ケース内の圧力が所定の圧力になると、気体透過膜４４と第３両面接着テープ２４６ｂとの接着面のうち一方の面ｆ１が剥がれ、次いで気体透過膜４４の折り返された部分と第３両面接着テープ２４６ａとの接着面が剥がれて気体透過膜４４がケース本体２２から離間する。図６の気体透過部３４０では、図５において更に、ケース本体２２と第３両面接着部材２４６ａとの間に、一方の面がケース本体２２と接着された第３両面接着部材３４６と、第３両面接着部材３４６と第３両面接着部材２４６ａとの間に挟着され通気孔４２の周囲に沿った形状の樹脂フレーム５２とを備えている。ここで、樹脂フレーム５２は、気体透過膜４４の形状を保持するために用いられる。そして、ケース内の圧力が所定の圧力になると、気体透過膜４４と第３両面接着テープ２４６ｂとの接着面のうち一方の面ｆ１が剥がれ、次いで気体透過膜４４の折り返された部分と第３両面接着テープ２４６ａとの接着面が剥がれて気体透過膜４４がケース本体２２から離間する。
【００２６】
更に、上述した実施形態では、圧抜き孔３２の周囲に沿って接着した両面接着テープによって圧抜きフタ３４をケース本体２２に接着させたが、圧抜きフタ３４の一部とケース本体２２とを蝶番で固定し、残りを第１両面接着テープ３６ａ、挟着部材３８及び第２両面接着テープ３６ｂで接着させてもよい。この場合でも、ケース内の圧力が所定の圧力になったときには、第１両面接着テープ３６ａ又は第２両面接着テープ３６ｂと挟着部材３８との接着面が剥離し、蝶番で固定されている部分を支点として圧抜きフタ３４を開放させることによりケース内の圧力を解放させることができる。
【００２７】
更にまた、上述した実施形態では、圧抜き孔３２の開口面積と通気孔４２の開口面積とを略同じにし、挟着部材３８と気体透過膜４４とを同じ材料にし、すべての両面接着テープ３６ａ，３６ｂ，４６を同じ材質つまり同じ接着強度を持つものにし、各両面接着テープ３６ａ，３６ｂ，４６と被接着物との接着面積を略同じにしたが、必ずしもこのように構成する必要はない。つまり、第１両面接着テープ３６ａ又は第２両面接着テープ３６ｂと挟着部材３８との接着力が、所定の圧力が圧抜きフタ３４に及ぼす力Ｆ１と略一致するように、且つ、第３両面接着テープ４６と気体透過膜４４との接着力が、所定の圧力が気体透過膜４４に及ぼす力Ｆ２と略一致するように、圧抜き孔３２や通気孔４２の開口面積、挟着部材３８の材質、各両面接着テープ３６ａ，３６ｂ，４６の接着強度や接着面積を調節すればよい。こうすれば、例えば、圧抜き孔３２や通気孔４２の開口面積が異なっていたり、挟着部材３８と気体透過膜４４との材質が異なっていたり、各両面接着テープ３６ａ，３６ｂ，４６の接着強度や接着面積がそれぞれ異なっていたとしても、ケース内の圧力が所定の圧力になったときに圧抜きフタ３４が開くと略同時に気体透過膜４４が剥がれる。
【００２８】
そして、上述した実施形態では、両面接着部材として両面接着テープを用いたが、両面に接着機能を有する他の両面接着部材であってもよい。
【００２９】
そしてまた、上述した実施形態では、圧力解放部３０はケース本体２２の２つの側面に計４箇所設け、気体透過部４０はケース本体２２の上面１箇所に設けたが、圧力解放部３０及び気体透過部４０の数はこれより多くても少なくてもよく、また圧力解放部３０をケース本体２２の上面や下面に設けてもよいし、気体透過部４０をケース本体２２の側面や下面に設けてもよい。
【００３０】
そして更にまた、上述した実施形態では、ケース本体２２は樹脂製としたが、アルミ製であってもよい。
【図面の簡単な説明】
【００３１】
【図１】燃料電池用ケースの構成の概略を示す構成図である。
【図２】図１の燃料電池用ケースのＡ−Ａ断面を示す拡大断面図である。
【図３】図１の燃料電池用ケースのＢ−Ｂ断面を示す拡大断面図である。
【図４】他の図１の燃料電池用ケースのＢ−Ｂ断面を示す拡大断面図である。
【図５】他の図１の燃料電池用ケースのＢ−Ｂ断面を示す拡大断面図である。
【図６】他の図１の燃料電池用ケースのＢ−Ｂ断面を示す拡大断面図である。
【符号の説明】
【００３２】
２０  燃料電池用ケース、２２  ケース本体、２２ａ  ロアケース、２２ｂ  アッパーカバー、２４  ボルト、２６  ナット、３０  圧力解放部、３２  圧抜き孔、３４  圧抜きフタ、３６ａ  第１両面接着テープ、３６ｂ  第２両面接着テープ、３８  挟着部材、４０  気体透過部、４２  通気孔、４４  気体透過膜、４６  第３両面接着テープ、５０  燃料電池、５２  樹脂フレーム、１４０  気体透過部、１４４  気体透過膜、１４６ａ，１４６ｂ  第３両面接着テープ、  ２４０  気体透過部、２４６ａ，２４６ｂ  第３両面接着テープ、３４０  気体透過部、３４６  第３両面接着テープ、ｆ１，ｆ２  接着面。
【図１】
2006236863.tif 000003
【図２】
2006236863.tif 000004
【図３】
2006236863.tif 000005
【図４】
2006236863.tif 000006
【図５】
2006236863.tif 000007
【図６】
2006236863.tif 000008